(57)【特許請求の範囲】
【請求項１】
映像または音声を再生する再生装置であって、
記録媒体に記録されている映像または音声を再生する再生手段と、
再生された前記映像または音声を出力制御装置へ出力するデータ出力手段と、
再生された前記映像または音声の出力が終了した時に、前記再生装置が映像または音声の出力を終了して所定の画面に戻ったことを通知するコマンドであって、かつ、前記出力制御装置に対する動作の指示を含まないコマンドである第１のコマンドを出力制御装置へ出力するコマンド出力手段と
を備えることを特徴とする再生装置。
【請求項２】
前記再生装置はさらに、
ユーティリティ画面を作成する画面作成手段を備え、
前記データ出力手段は、作成された前記ユーティリティ画面を出力制御装置へ出力し、
前記コマンド出力手段は、作成された前記ユーティリティ画面の出力が終了した時に前記第１のコマンドを出力制御装置へ出力する
ことを特徴とする請求項１に記載の再生装置。
【請求項３】
前記第１のコマンドは、あらかじめ決められたデータを出力制御装置へ出力している状態であることを示すコマンドである
ことを特徴とする請求項１または２に記載の再生装置。
【請求項４】
前記再生装置はさらに、
テレビ放送を受信するチューナを備え、
前記第１のコマンドは、受信したテレビ放送を出力制御装置へ出力している状態であることを示すコマンドである
ことを特徴とする請求項１または２に記載の再生装置。
【請求項５】
前記再生装置はさらに、
受信したテレビ放送を所定形式の映像または音声に変換する変換手段と、
変換された映像または音声を前記記録媒体に記録する記録手段と
を備えることを特徴とする請求項３に記載の再生装置。
【請求項６】
前記コマンド出力手段は、再生された前記映像または音声の出力を開始した時に、または作成された前記ユーティリティ画面の出力を開始した時に、第２のコマンドを出力制御装置へ出力する
ことを特徴とする請求項２に記載の再生装置。
【発明の詳細な説明】
【技術分野】
【０００１】
本発明は、映像または音声を出力制御装置に出力する再生装置に関し、特に、テレビの入力を自動的に切り換える技術に関する。
【背景技術】
【０００２】
近年、テレビには、テレビ放送を受信して視聴することだけでなく、様々な用途がある。例えば、ＶＴＲ（Ｖｉｄｅｏ  Ｔａｐｅ  Ｒｅｃｏｒｄｅｒ）やＤＶＤレコーダのようなＤＶＲ（Ｄｉｇｉｔａｌ  Ｖｉｄｅｏ  Ｒｅｃｏｒｄｅｒ）を接続すれば、これらの外部機器で再生したコンテンツを視聴することができ、家庭用ゲーム機を接続すれば、ゲームを楽しむことができる。そのため、テレビには、テレビ放送を受信するためのアンテナ端子に加えて、一個もしくは複数個の外部入力端子が備えられていることが多い。ユーザは、リモコンや本体上のボタンなどを操作することによって、これらの入力を切り換えることができる。
【０００３】
多くの外部入力端子が備えられているテレビ（特にハイエンド機種に多い）には、ＤＶＲや家庭用ゲーム機など多数の外部機器を同時に接続することができるという利点がある。その反面、手動で入力切換をする必要が生じるため、操作が煩わしくなるという欠点がある。
【０００４】
ところで、近年のＶＴＲやＤＶＲは、チューナを搭載しており、テレビ放送を受信することができるタイプのものが多い。このようなＶＴＲやＤＶＲでコンテンツを再生していない場合は、チューナで受信したテレビ放送をテレビに出力するのが一般的である。
【０００５】
このように、テレビの入力をＶＴＲにしていてもテレビ放送を視聴することは可能である。しかし、テレビの入力をＶＴＲにしている状態で例えばアナログ地上波放送の録画を行っている場合は、別のチャンネルのアナログ地上波放送を視聴することができない。すなわち、所望のチャンネルのテレビ放送を視聴するためには、ＶＴＲやＤＶＲのチューナを用いるよりもテレビのチューナを用いる方が簡便である。そこで、テレビと外部機器との間でコマンドを伝送することによって、自動的にテレビの入力を切り換える技術がある。
【０００６】
例えば、特許文献１に開示されている再生装置は、再生を開始すると、自装置の出力端子が接続されているテレビの入力端子に入力を切り換えることを指示する信号をテレビに送信する。また、この再生装置は、電源オフ状態になるときに、テレビの入力をアンテナもしくはチューナに切り換えることを指示する信号をテレビに送信する。これによって、再生装置が再生を開始すると、その再生映像をテレビの画面に表示し、再生装置が電源オフ状態になるときに、テレビのアンテナもしくはチューナで受信した映像をテレビの画面に表示することが可能となる。
【０００７】
なお、ＡＶ．ｌｉｎｋ規格（非特許文献１）では、テレビやＶＴＲなどが連携して動作するためのコマンドが規定されている。この規格によると、ＶＴＲが再生を開始した時や、ＶＴＲがメニュー画面を表示した時、ＶＴＲはテレビに所定のコマンドを発行する。これによって、テレビをスタンバイ状態からＶＴＲの画面を表示できる状態にすることができる。
【先行技術文献】
【特許文献】
【０００８】
【特許文献１】特開２０００−３５０１３１号公報
【非特許文献】
【０００９】
【非特許文献１】ＣＥＮＥＬＥＣ  ＡＶ．ｌｉｎｋ（ＥＮ５０１５７−１、ＥＮ５０１５７−２−１、ＥＮ５０１５７−２−２、ＥＮ５０１５７−２−３）
【発明の概要】
【発明が解決しようとする課題】
【００１０】
しかしながら、前記特許文献１に開示されている再生装置によると、テレビ側の状況を考慮することなくテレビの入力をアンテナもしくはチューナに切り換えることになるので、場合によってはユーザの混乱を招き、逆に使い勝手が悪くなるという問題点がある。
【００１１】
例えば、前記特許文献１に開示されている再生装置によると、家庭用ゲーム機など別の外部機器の画面をテレビに表示していた場合でも、再生装置が電源オフ状態になると、テレビの画面がテレビ放送に切り換わってしまう。
【００１２】
本発明は、このような問題点に鑑みてなされたものであって、状況に応じて出力制御装置が適切に画面を切り換えることを可能にする再生装置を提供することを目的とする。
【課題を解決するための手段】
【００２０】
前記目的を達成するために、本発明に係る再生装置は、映像または音声を再生する再生装置であって、記録媒体に記録されている映像または音声を再生する再生手段と、再生された前記映像または音声を出力制御装置へ出力するデータ出力手段と、再生された前記映像または音声の出力が終了した時に、前記再生装置が映像または音声の出力を終了して所定の画面に戻ったことを通知するコマンドであって、かつ、前記出力制御装置に対する動作の指示を含まないコマンドである第１のコマンドを出力制御装置へ出力するコマンド出力手段とを備える。これによって、再生された前記映像または音声の出力が終了して所定の画面に戻ったことを通知する第１のコマンドを出力制御装置へ出力することが可能となる。
【００２１】
ここで、前記再生装置はさらに、ユーティリティ画面を作成する画面作成手段を備え、前記データ出力手段は、作成された前記ユーティリティ画面を出力制御装置へ出力し、前記コマンド出力手段は、作成された前記ユーティリティ画面の出力が終了した時に前記第１のコマンドを出力制御装置へ出力してもよい。これによって、記録媒体に記録されている映像または音声だけでなくユーティリティ画面をも出力制御装置へ出力することが可能となる。
【００２２】
また、前記第１のコマンドは、あらかじめ決められたデータを出力制御装置へ出力している状態であることを示すコマンドであってもよい。これによって、再生装置から出力すべきデータが存在しないことを出力制御装置側で認識することが可能となる。
【００２３】
また、前記再生装置はさらに、テレビ放送を受信するチューナを備え、前記第１のコマンドは、受信したテレビ放送を出力制御装置へ出力している状態であることを示すコマンドであってもよい。これによって、再生装置のチューナで受信されたテレビ放送が再生装置から出力されていることを出力制御装置側で認識することができる。
【００２４】
また、前記再生装置はさらに、受信したテレビ放送を所定形式の映像または音声に変換する変換手段と、変換された映像または音声を前記記録媒体に記録する記録手段とを備えてもよい。すなわち、本発明は、ＤＶＤプレーヤのような再生装置だけでなく、ＤＶＤレコーダのような再生記録装置にも適用することができる。
【００２５】
また、前記コマンド出力手段は、再生された前記映像または音声の出力を開始した時に、または作成された前記ユーティリティ画面の出力を開始した時に、第２のコマンドを出力制御装置へ出力してもよい。これによって、再生装置から再生映像等の出力が開始されたことを出力制御装置側で認識することができる。
【発明の効果】
【００２６】
以上の説明から明らかなように、本発明に係る再生装置によれば、出力制御装置は、再生装置からのコマンドを入力するコマンド入力手段から第１のコマンドが入力された時、再生装置からの映像または音声を入力するデータ入力手段をスイッチが選択している場合は、前記スイッチがチューナに切り換わるので、チューナで受信したテレビ放送に画面を切り換えることができる。よって、ユーザが混乱を招くことを回避することができる。
【図面の簡単な説明】
【００２７】
【図１】実施の形態１の概要を示す図
【図２】実施の形態１におけるテレビとＤＶＤレコーダの構成例を示す図
【図３】実施の形態１におけるＤＶＤレコーダおよびテレビのフロー図
【図４】実施の形態１におけるテレビに表示される画面の遷移を示す図
【図５】実施の形態１におけるテレビに表示される画面の遷移を示す図
【図６】実施の形態１におけるテレビに表示される画面の遷移を示す図
【図７】実施の形態１におけるテレビに表示される画面を示す図
【図８】実施の形態２におけるテレビとＤＶＤレコーダの構成例を示す図
【図９】実施の形態２におけるＤＶＤレコーダおよびテレビのフロー図
【図１０】実施の形態２におけるテレビに表示される画面の遷移を示す図
【図１１】実施の形態２におけるテレビに表示される画面の遷移を示す図
【図１２】実施の形態２におけるテレビに表示される画面の遷移を示す図
【図１３】実施の形態３におけるテレビとＤＶＤレコーダの構成例を示す図
【図１４】実施の形態３における元画面情報の一例を示す図
【図１５】実施の形態３におけるＤＶＤレコーダおよびテレビのフロー図
【図１６】実施の形態３におけるテレビに表示される画面の遷移を示す図
【図１７】実施の形態３におけるテレビに表示される画面の遷移を示す図
【図１８】実施の形態３におけるテレビに表示される画面の遷移を示す図
【図１９】実施の形態４における元画面情報の一例を示す図
【図２０】実施の形態４におけるテレビのフロー図
【図２１】実施の形態４におけるテレビに表示される画面の遷移を示す図
【発明を実施するための形態】
【００２８】
以下、本発明の実施の形態について図面を用いて詳細に説明する。
【００２９】
（実施の形態１）
図１は、本実施の形態１の概要を示す図である。ここでは、テレビ１３１にＤＶＤレコーダ１０１と家庭用ゲーム機１５１とが接続されている状態を示している。テレビ１３１は、本発明における出力制御装置の一例であり、ＤＶＤレコーダ１０１は、本発明における再生装置の一例である。
【００３０】
図２は、テレビ１３１とＤＶＤレコーダ１０１の構成例を示す図である。
【００３１】
ＤＶＤレコーダ１０１は、制御部１０２と、チューナ１０３と、ディスク管理部１０４と、エンコーダ１０５と、デコーダ１０６と、ユーザ入力部１０７と、スイッチ１０８と、データ出力Ｉ／Ｆ１０９と、コマンド出力Ｉ／Ｆ１１０と、ＤＶＤ−ＲＡＭディスク１１１と、出力処理部１１２と、アンテナ１２１と、データ用ケーブル１２２と、コマンド用ケーブル１２３とを備えている。制御部１０２は、ＤＶＤレコーダ１０１の各構成部の動作を制御する。チューナ１０３は、アンテナ１２１で受信したテレビ放送から特定のチャンネルの映像音声データを取り出す。ディスク管理部１０４は、ＤＶＤディスク１１１に対してデータを読み書きする。エンコーダ１０５は、チューナ１０３から受け取った映像音声データをＤＶＤ−ＲＡＭディスク１１１の記録に適した形式に変換する。デコーダ１０６は、ＤＶＤ−ＲＡＭディスク１１１に記録されているデータをデコードする。ユーザ入力部１０７は、ＤＶＤレコーダ１０１の本体上の操作ボタンや、ユーザが操作するリモコンから赤外線信号などの指示信号を受け取る受光器等である。スイッチ１０８は、チューナ１０３とデコーダ１０６のいずれかを選択する。データ出力Ｉ／Ｆ１０９は、データ用ケーブル１２２を通して映像音声データをテレビ１３１に出力する。コマンド出力Ｉ／Ｆ１１０は、コマンド用ケーブル１２３を通じてコマンドをテレビ１３１に出力する。ＤＶＤ−ＲＡＭディスク１１１は、記録媒体の一例である。出力処理部１１２は、必要に応じて映像音声データを加工してデータ出力Ｉ／Ｆ１０９に出力する。アンテナ１２１は、テレビ放送を受信する。データ用ケーブル１２２は、映像音声データを伝送するためのＤ端子ケーブル・Ｓ端子ケーブル・ＲＣＡケーブル・ＤＶＩケーブル等である。コマンド用ケーブル１２３は、コマンドを伝送するためのＲＳ２３２Ｃシリアルケーブル等である。
【００３２】
テレビ１３１は、画面１３２と、スピーカ１３３と、制御部１３４と、出力処理部１３５と、チューナ１３６と、スイッチ１３７と、ユーザ入力部１３８と、データ入力Ｉ／Ｆ１３９と、コマンド入力Ｉ／Ｆ１４０と、データ入力Ｉ／Ｆ１４１とを備えている。画面１３２は、映像を出力する。スピーカ１３３は、音声を出力する。制御部１３４は、テレビ１３１の各構成部の動作を制御する。出力処理部１３５は、必要に応じて映像音声データを加工して画面１３２またはスピーカ１３３に出力する。チューナ１３６は、アンテナ１２１で受信したテレビ放送から特定のチャンネルの映像音声データを取り出す。スイッチ１３７は、データ入力Ｉ／Ｆ１３９とデータ入力Ｉ／Ｆ１４１とチューナ１３６のいずれかを選択する。ユーザ入力部１３８は、テレビ１３１の本体上の操作ボタンや、ユーザが操作するリモコンから赤外線信号などの指示信号を受け取る受光器等である。データ入力Ｉ／Ｆ１３９は、データ用ケーブル１２２を通して映像音声データをＤＶＤレコーダ１０１から入力する。コマンド入力Ｉ／Ｆ１４０は、コマンド用ケーブル１２３を通じてコマンドをＤＶＤレコーダ１０１から入力する。データ入力Ｉ／Ｆ１４１は、データ用ケーブル１２４を通して映像音声データを家庭用ゲーム機１５１から入力する。
【００３３】
なお、家庭用ゲーム機１５１の構成については詳しい説明を省略する。
【００３４】
（１）ＤＶＤレコーダ１０１の動作
まず、ＤＶＤレコーダ１０１の動作について説明する。
【００３５】
ユーザは、「再生開始」「再生停止」「メニュー表示」「メニュー閉じる」など、様々な指示をユーザ入力部１０７に入力することができる。ユーザ入力部１０７は、ユーザからの指示を受け取ると、その指示を制御部１０２に出力する。制御部１０２は、ユーザ入力部１０７からの指示の内容に応じて、ＤＶＤレコーダ１０１の各構成部の動作を制御する。
【００３６】
［記録も再生も行っていない場合の動作］
チューナ１０３は、アンテナ１２１で受信したテレビ放送から特定のチャンネルの映像音声データを取り出してエンコーダ１０５とスイッチ１０８に出力する。スイッチ１０８は、チューナ１０３から受け取った映像音声データを出力処理部１１２に出力する。出力処理部１１２は、スイッチ１０８から受け取った映像音声データをデータ出力Ｉ／Ｆ１０９に出力する。このとき、出力処理部１１２は、例えば受信チャンネル番号表示を追加するなど、制御部１０２からの指示に応じて映像音声データを加工することもある。データ出力Ｉ／Ｆ１０９は、出力処理部１１２から受け取った映像音声データをデータ用ケーブル１２２を通してテレビ１３１に出力する。
【００３７】
ユーザは、チャンネルを変更する場合、ユーザ入力部１０７に選局を指示する。制御部１０２は、ユーザ入力部１０７から選局指示を受け取ると、そのチャンネルをチューナ１０３に指示する。チューナ１０３は、制御部１０２から指示されたチャンネルの映像音声データをスイッチ１０８に出力する。なお、チューナで受信した映像音声データをそのまま出力した画面のことを、以降、ＥＥ画面と呼ぶことにする。
【００３８】
［メニュー画面表示動作］
ここでいうメニュー画面とは、ＤＶＤレコーダ１０１の設定を行う画面、番組表（ＥＰＧ）、ＤＶＤ−ＲＡＭディスク１１１の記録内容一覧画面などである。
【００３９】
制御部１０２は、ユーザ入力部１０７から「メニュー表示」指示を受け取ると、メニュー画面の作成および出力を出力処理部１１２に指示する。出力処理部１１２は、制御部１０２から指示されたメニュー画面のデータを作成し、スイッチ１０８から受け取る映像音声データに代えて、このメニュー画面のデータをデータ出力Ｉ／Ｆ１０９に出力する。このとき、出力処理部１１２は、スイッチ１０８から受け取る映像音声データをメニュー画面の一部に含めることもある。
【００４０】
その後、制御部１０２は、ユーザ入力部１０７から「メニュー閉じる」指示を受け取るなど、メニュー画面を閉じる必要が生じた場合、メニュー終了を出力処理部１１２に指示する。出力処理部１１２は、制御部１０２からメニュー終了指示を受け取ると、メニュー画面の作成および出力を終了し、スイッチ１０８から受け取った映像音声データをデータ出力Ｉ／Ｆ１０９に出力する。
【００４１】
［記録動作］
制御部１０２は、ユーザ入力部１０７から録画指示を受け取ると、テレビ放送データの記録をエンコーダ１０５およびディスク管理部１０４に指示する。エンコーダ１０５は、チューナ１０３から受け取った映像音声データをＤＶＤ−ＲＡＭディスク１１１の記録に適したデータに変換してディスク管理部１０４に出力する。記録に適したデータとは、例えばＭＰＥＧ２―ＰＳ（Ｐｒｏｇｒａｍ  Ｓｔｒｅａｍ）形式のデータである。
【００４２】
ディスク管理部１０４は、エンコーダ１０５から受け取ったデータをＤＶＤ−ＲＡＭディスク１１１に記録する。このとき、スイッチ１０８の入力はチューナ１０３のままであり、データ出力Ｉ／Ｆ１０９からはＥＥ画面が出力される。
【００４３】
［再生動作］
制御部１０２は、ユーザ入力部１０７から再生開始指示を受け取ると、そのコンテンツを再生するようにデコーダ１０６およびディスク管理部１０４に指示する。また、制御部１０２は、入力をデコーダ１０６に切り換えるようにスイッチ１０８に指示する。
【００４４】
スイッチ１０８は、制御部１０２から指示を受け取ると、入力をデコーダ１０６に切り換える。ディスク管理部１０４は、制御部１０２から指示されたコンテンツをＤＶＤ−ＲＡＭディスク１１１から読み出してデコーダ１０６に出力する。デコーダ１０６は、記録制御部１０４から受け取ったコンテンツを映像音声データに変換してスイッチ１０８に出力する。スイッチ１０８は、デコーダ１０６から受け取った映像音声データを出力処理部１１２に出力する。出力処理部１１２は、スイッチ１０８から受け取った映像音声データをデータ出力Ｉ／Ｆ１０９に出力する。このとき、出力処理部１１２は、例えば「再生」という文字表示を追加するなど、制御部１０２からの指示に応じて映像音声データを加工することもある。データ出力Ｉ／Ｆ１０９は、出力処理部１１２から受け取った映像音声データをデータ用ケーブル１２２を通してテレビ１３１に出力する。
【００４５】
制御部１０２は、ユーザ入力部１０７から再生停止指示を受け取ると、そのコンテンツの再生を停止するようにデコーダ１０６およびディスク管理部１０４に指示する。また、制御部１０２は、入力をチューナ１０３に切り換えるようにスイッチ１０８に指示する。
【００４６】
ＤＶＤ−ＲＡＭディスク１１１の再生が終了すると、ＤＶＤレコーダ１０１は、記録も再生もしていない状態に戻り、データ出力Ｉ／Ｆ１０９からはＥＥ画面が出力される。
【００４７】
［コマンド送信動作］
制御部１０２は、データ出力Ｉ／Ｆ１０９がＤＶＤ−ＲＡＭディスク１１１の再生データの出力もしくはメニュー画面の出力を開始した時、「出力開始」コマンドを送信するようにコマンド出力Ｉ／Ｆ１１０に指示する。コマンド出力Ｉ／Ｆ１１０は、「出力開始」コマンドをコマンド用ケーブル１２３を通してテレビ１３１に送信する。
【００４８】
また、制御部１０２は、データ出力Ｉ／Ｆ１０９がＤＶＤ−ＲＡＭディスク１１１の再生データの出力もしくはメニュー画面の出力を終了してＥＥ画面の出力を開始した時、「ＥＥ画面に戻った」コマンドを送信するようにコマンド出力Ｉ／Ｆ１１０に指示する。コマンド出力Ｉ／Ｆ１１０は、「ＥＥ画面に戻った」コマンドをコマンド用ケーブル１２３を通してテレビ１３１に送信する。
【００４９】
（２）テレビ１３１の動作
次に、テレビ１３１の動作について説明する。
【００５０】
ユーザは、「入力切換」「選局」「メニュー表示」「メニュー閉じる」など、様々な指示をユーザ入力部１３８に入力することができる。ユーザ入力部１３８は、ユーザからの指示を受け取ると、その指示を制御部１３４に出力する。制御部１３４は、ユーザ入力部１３８からの指示の内容に応じて、テレビ１３１の各構成部の動作を制御する。
【００５１】
［手動入力切換動作］
制御部１３４は、ユーザ入力部１３８から入力切換指示を受け取ると、入力を切り換えるようにスイッチ１３７に指示する。スイッチ１３７は、チューナ１３６からの入力を出力処理部１３５に出力している時、データ入力Ｉ／Ｆ１３９に入力を切り換える指示を制御部１３４から受け取ると、データ入力Ｉ／Ｆ１３９から受け取った映像音声データを出力処理部１３５に出力する。
【００５２】
［テレビ放送視聴動作］
テレビ放送を視聴する場合、スイッチ１３７の入力はチューナ１３６になっている。
【００５３】
チューナ１３６は、アンテナ１２１で受信したテレビ放送から特定のチャンネルの映像音声データを取り出してスイッチ１３７に出力する。スイッチ１３７は、チューナ１３７から受け取った映像音声データを出力処理部１３５に出力する。出力処理部１３５は、スイッチ１３７から受け取った映像音声データのうち、映像データを画面１３２に出力し、音声データをスピーカ１３３に出力する。このとき、出力処理部１３５は、例えば受信チャンネル番号表示を追加するなど、制御部１３４からの指示に応じて映像データを加工することもある。
【００５４】
［外部機器視聴動作］
外部機器からの映像を視聴する場合、スイッチ１３７の入力はデータ入力Ｉ／Ｆ１３９もしくはデータ入力Ｉ／Ｆ１４１になっている。ここでは、スイッチ１３７の入力がデータ入力Ｉ／Ｆ１３９になっている場合の動作を説明する。
【００５５】
データ入力Ｉ／Ｆ１３９は、データ用ケーブル１２２を通してＤＶＤレコーダ１０１から映像音声データを受け取ってスイッチ１３７に出力する。スイッチ１３７は、データ入力Ｉ／Ｆ１３９から受け取った映像音声データを出力処理部１３５に出力する。
【００５６】
以降の動作はテレビ放送視聴動作と同様である。また、スイッチ１３７の入力がデータ入力Ｉ／Ｆ１４１になっている場合の動作も同様である。
【００５７】
［メニュー画面表示動作］
ここでいうメニュー画面とは、テレビ１３１の設定を行う画面、番組表（ＥＰＧ）、接続機器操作画面などである。
【００５８】
制御部１３４は、ユーザ入力部１３８から「メニュー表示」指示を受け取ると、メニュー画面の作成および出力を出力処理部１３５に指示する。出力処理部１３５は、制御部１３４から指示されたメニュー画面のデータを作成して画面１３２に表示する。また、出力処理部１３５は、必要に応じて音声データをスピーカ１３３に出力する。このとき、スイッチ１３７から受け取る映像音声データをメニュー画面の一部に含めることもある。
【００５９】
その後、制御部１３５は、ユーザ入力部１３８から「メニュー閉じる」指示を受け取るなど、メニュー画面を閉じる必要が生じた場合、メニュー終了を出力処理部１３５に指示する。出力処理部１３５は、制御部１３５からメニュー終了指示を受け取ると、メニュー画面の作成および出力を終了し、スイッチ１３７から受け取った映像音声データを画面１３２およびスピーカ１３３に出力する。
【００６０】
［自動入力切換動作］
コマンド入力Ｉ／Ｆ１４０は、コマンド用ケーブル１２３を通してＤＶＤレコーダ１０１からコマンドを受け取ると、そのコマンドを制御部１３４に出力する。制御部１３４は、コマンド入力Ｉ／Ｆ１４０から受け取ったコマンドが「出力開始」コマンドである場合、データ入力Ｉ／Ｆ１３９からの入力に切り換えるようにスイッチ１３７に指示する。
【００６１】
また、制御部１３４は、コマンド入力Ｉ／Ｆ１４０から受け取ったコマンドが「ＥＥ画面に戻った」コマンドである場合、その時点でのスイッチ１３７の入力がデータ入力Ｉ／Ｆ１３９であるときは、チューナ１３６からの入力に切り換えるようにスイッチ１３７に指示する。他方、その時点でのスイッチ１３７の入力がデータ入力Ｉ／Ｆ１３９以外であるときは、スイッチ１３７の入力は切り換えない。
【００６２】
（３）ＤＶＤレコーダ１０１とテレビ１３１の動作
図３は、ＤＶＤレコーダ１０１およびテレビ１３１の動作を示すフロー図である。
【００６３】
以下、ＤＶＤレコーダ１０１の再生開始／停止時におけるＤＶＤレコーダ１０１とテレビ１３１の動作について説明する。ここでは、テレビ１３１の入力はチューナ１３６になっており、ユーザは、チューナ１３６で受信したテレビ放送を視聴しているものとする。
【００６４】
ＤＶＤレコーダ１０１は、ユーザから「再生開始」指示を受け取ると、ＤＶＤ−ＲＡＭディスク１１１の再生を開始し（Ｓｔｅｐ２０１）、スイッチ１０８の入力をデコーダ１０６に切り換える（Ｓｔｅｐ２０２）。同時に、ＤＶＤレコーダ１０１は、「出力開始」コマンドをテレビ１３１に送信する（Ｓｔｅｐ２０３）。
【００６５】
テレビ１３１は、「出力開始」コマンドを受け取ると、スイッチ１３７の入力をデータ入力Ｉ／Ｆ１３９に切り換える（Ｓｔｅｐ２０４）。このとき、ＤＶＤレコーダ１０１から出力されたＤＶＤ−ＲＡＭディスク１１１の再生映像音声を視聴することができる。
【００６６】
その後、ＤＶＤレコーダ１０１は、ユーザから「再生停止」指示を受け取ると、ＤＶＤ−ＲＡＭディスク１１１の再生を停止し（Ｓｔｅｐ２０５）、スイッチ１０８の入力をチューナ１０３に切り換える（Ｓｔｅｐ２０６）。同時に、ＤＶＤレコーダ１０１は、「ＥＥ画面に戻った」コマンドをテレビ１３１に送信する（Ｓｔｅｐ２０７）。
【００６７】
テレビ１３１は、「ＥＥ画面に戻った」コマンドを受け取ると、スイッチ１３７の入力がデータ入力Ｉ／Ｆ１３９かどうかを確認する（Ｓｔｅｐ２０８）。そして、スイッチ１３７の入力がデータ入力Ｉ／Ｆ１３９である場合、スイッチ１３７の入力をチューナ１３６に切り換える（Ｓｔｅｐ２０９）。このとき、再度チューナ１３６で受信したテレビ放送を視聴することができる。他方、スイッチ１３７の入力がデータ入力Ｉ／Ｆ１３９以外である場合、スイッチ１３７の入力は切り換えない。
【００６８】
図４は、テレビ１３１に表示される画面の遷移を示す図である。ここでは、ＤＶＤ−ＲＡＭディスク１１１の再生開始から再生停止までの間に手動でテレビ１３１の入力切換を行わなかった場合を想定している。
【００６９】
すなわち、チューナ１３６で受信したテレビ放送を視聴している時にＤＶＤレコーダ１０１の再生を開始すると、自動的にテレビ１３１の入力がＤＶＤレコーダ１０１に切り換わり、ＤＶＤ−ＲＡＭディスク１１１の再生映像が表示される（Ｓｔｅｐ２０４）。また、ＤＶＤレコーダ１０１の再生を停止すると、自動的にテレビ１３１の入力がチューナ１３６に切り換わり、チューナ１３６で受信したテレビ放送が表示される（Ｓｔｅｐ２０９）。
【００７０】
図５は、テレビ１３１に表示される画面の遷移を示す図である。ここでは、ＤＶＤ−ＲＡＭディスク１１１の再生開始から再生停止までの間に手動でテレビ１３１の入力切換を行った場合を想定している。
【００７１】
すなわち、チューナ１３６で受信したテレビ放送を視聴している時にＤＶＤレコーダ１０１の再生を開始すると、図４と同様、自動的にテレビ１３１の入力がＤＶＤレコーダ１０１に切り換わり、ＤＶＤ−ＲＡＭディスク１１１の再生映像が表示される。ＤＶＤ−ＲＡＭディスク１１１の再生中にテレビ１３１の入力をデータ入力Ｉ／Ｆ１４１に手動で切り換えると、家庭用ゲーム機１５１の画面が表示される。
【００７２】
その後、ＤＶＤレコーダ１０１の再生を停止しても、テレビ１３１の入力はデータ入力Ｉ／Ｆ１３９ではないので、テレビ１３１の入力は切り換わらない。すなわち、家庭用ゲーム機１５１の画面がそのまま表示され続ける。
【００７３】
ＤＶＤレコーダ１０１のメニュー画面の表示開始と表示終了を行う場合の動作も、図３に示すフロー図の通りである。すなわち、ＤＶＤレコーダ１０１はテレビ１３１に対し、メニュー画面の表示開始時に「出力開始」コマンドを送信し、メニュー画面の表示終了時に「ＥＥ画面に戻った」コマンドを送信する。
【００７４】
図６は、テレビ１３１に表示される画面の遷移を示す図である。すなわち、チューナ１３６で受信したテレビ放送を視聴している時にＤＶＤレコーダ１０１のメニュー表示を開始すると、自動的にテレビ１３１の入力がＤＶＤレコーダ１０１に切り換わり、ＤＶＤレコーダ１０１のメニュー画面が表示される。また、ＤＶＤレコーダ１０１のメニュー表示を終了すると、自動的にテレビ１３１の入力がチューナ１３６に切り換わり、チューナ１３６で受信したテレビ放送が表示される。
【００７５】
以上のように、本実施の形態１によれば、ＤＶＤレコーダ１０１の出力がＥＥ画面に戻った時、その時のテレビ１３１の入力がＤＶＤレコーダ１０１である場合のみ、自動的にテレビ１３１の入力をチューナ１３６で受信したテレビ放送に切り換えることができる。すなわち、ＥＥ画面に戻った時にテレビ１３１の入力がＤＶＤレコーダ１０１でない場合は、テレビ１３１の入力は切り換わらないので、ユーザが混乱を招くことを回避することができる。
【００７６】
なお、図３のフロー図におけるＳｔｅｐ２０１、Ｓｔｅｐ２０２およびＳｔｅｐ２０３の順序は入れ替わっていてもよいし、同時でもよい。同様に、Ｓｔｅｐ２０５、Ｓｔｅｐ２０６およびＳｔｅｐ２０７の順序は入れ替わっていてもよいし、同時でもよい。
【００７７】
また、ＤＶＤレコーダ１０１は、外部機器と接続するための外部入力Ｉ／Ｆを備え、外部機器から出力された映像音声データと、チューナ１０３で受信したテレビ放送とを切り換えられるようになっていてもよい。
【００７８】
また、ＤＶＤレコーダ１０１で記録再生する記録媒体は、ＤＶＤ−ＲＡＭディスクではなく、ＤＶＤ−Ｒディスクなど他のリムーバブルメディアであってもよいし、ハードディスクのような固定メディアであってもよい。ＤＶＤレコーダは、一種類もしくは複数種類の記録媒体の記録再生を行うことが可能な記録再生装置であってもよい。エンコーダを備えず、ＤＶＤ−ＲＡＭなどの記録メディアの再生のみを行うＤＶＤプレーヤなどの再生専用装置をＤＶＤレコーダに代えて採用してもよい。
【００７９】
また、ＤＶＤレコーダ１０１は、チューナを備えていなくてもよい。この場合、ＤＶＤ−ＲＡＭディスクの再生を行っていない時には、図７に示すような所定の画面を出力するとともに、この所定の画面出力に戻った時に「ＥＥ画面に戻った」コマンドをテレビ１３１に出力するようにしておく。
【００８０】
また、コマンドは「再生開始」コマンドおよび「ＥＥ画面に戻った」コマンドであると説明したが、テレビ１３１の入力切換タイミングを示すコマンドであれば、どのようなコマンドであってもよい。
【００８１】
また、テレビ１３１は、二つのデータ入力Ｉ／Ｆを備えていると説明したが、一つもしくは三つ以上のデータ入力Ｉ／Ｆを備えていてもよい。これらのデータ入力Ｉ／Ｆは、同一の種類であってもよいし、異なる種類であってもよい。さらに、データ入力Ｉ／Ｆに同時に接続できる機器は一台であってもよいし、複数台であってもよい。要するに、コマンド入力Ｉ／Ｆ１４０で受け取ったコマンドの送信元の機器を特定することができ、かつテレビ１３１の入力をコマンド送信元機器に切り換えられればよい。
【００８２】
また、データ用ケーブル１２２およびコマンド用ケーブル１２３は、一本のケーブルもしくは複数本のケーブルであってもよいし、複数本の信号線を束ねて一本のケーブルにしたものでもよい。また、ケーブルではなく、赤外線などの無線信号でデータを伝送する構成を採用してもよい。
【００８３】
また、図３では、テレビ１３１が画面１３２を備えている構成を例示しているが、本発明はこれに限定されるものではない。すなわち、テレビ１３１は、画面を備えていない出力制御装置であってもかまわない。
【００８４】
（実施の形態２）
本発明の実施の形態２におけるテレビは、ＤＶＤレコーダ１０１から「出力開始」コマンドを受け取った時の入力がチューナ１３６であり、かつ途中に手動で入力切換を行わなかった場合のみ、「ＥＥ画面に戻った」コマンドを受け取った時に入力をチューナ１３６に自動的に切り換える。以下、本実施の形態２を前記実施の形態１と異なる点を中心に説明する。
【００８５】
図８は、テレビ６０１とＤＶＤレコーダ１０１の構成例を示す図である。実施の形態１と異なる点は、テレビ６０１の制御部６１１の機能と、テレビ６０１がフラグ保管部６１２を備えている点である。その他の構成部は、実施の形態１と同じ機能であるため、同じ番号を用いて説明する。
【００８６】
ＤＶＤレコーダ１０１の動作は、実施の形態１と同様であるため説明を省略する。
【００８７】
（１）テレビ６０１の動作
以下、テレビ６０１の手動入力切換動作とコマンド受信時の動作について説明する。これらの動作は、実施の形態１におけるテレビ１３１の動作と異なる。
【００８８】
［手動入力切換動作］
制御部６１１は、ユーザ入力部１３８から入力切換指示を受け取ると、入力を切り換えるようにスイッチ１３７に指示する。スイッチ１３７は、チューナ１３６からの入力を出力処理部１３５に出力しているとき、データ入力Ｉ／Ｆ１３９への入力に切り換える指示を制御部６１１から受け取ると、データ入力Ｉ／Ｆ１３９から受け取った映像音声データを出力処理部１３５に出力する。このとき、制御部６１１は、フラグ保管部６１２に切換フラグの値として「ＴＲＵＥ」を保管する。
【００８９】
［コマンド受信時の動作］
コマンド入力Ｉ／Ｆ１４０は、コマンド用ケーブル１２３を通してＤＶＤレコーダ１０１からコマンドを受け取ると、そのコマンドを制御部６１１に出力する。制御部６１１は、コマンド入力Ｉ／Ｆ１４０から受け取ったコマンドが「出力開始」コマンドである場合、データ入力Ｉ／Ｆ１３９からの入力に切り換えるようにスイッチ１３７に指示する。このとき、制御部６１１は、スイッチ１３７の元の入力がチューナ１３６である場合には「ＦＡＬＳＥ」を、それ以外である場合には「ＦＡＬＳＥ」をフラグ保管部６１２に切換フラグの値として保管する。
【００９０】
また、制御部６１１は、コマンド入力Ｉ／Ｆ１４０から受け取ったコマンドが「ＥＥ画面に戻った」コマンドである場合、フラグ保管部６１２に保管している切換フラグの値を参照する。そして、切換フラグの値が「ＦＡＬＳＥ」である場合、データ入力Ｉ／Ｆ１３９からの入力に切り換えるようにスイッチ１３７に指示する。他方、切換フラグの値が「ＴＲＵＥ」である場合、スイッチ１３７に入力切換は指示しない。
【００９１】
（２）ＤＶＤレコーダ１０１とテレビ６０１の動作
図９は、ＤＶＤレコーダ１０１およびテレビ６０１のフロー図である。以下、ＤＶＤレコーダ１０１の再生開始／停止時におけるＤＶＤレコーダ１０１とテレビ６０１の動作について説明する。
【００９２】
ＤＶＤレコーダ１０１は、ユーザから「再生開始」指示を受け取ると、ＤＶＤ−ＲＡＭディスク１１１の再生を開始し（Ｓｔｅｐ７０１）、スイッチ１０８の入力をデコーダ１０６に切り換える（Ｓｔｅｐ７０２）。同時に、ＤＶＤレコーダ１０１は、「出力開始」コマンドをテレビ６０１に送信する（Ｓｔｅｐ７０３）。
【００９３】
テレビ６０１は、「出力開始」コマンドを受け取ると、スイッチ１３７の入力を確認する（Ｓｔｅｐ７０４）。そして、スイッチ１３７の入力がチューナ１３６である場合、切換フラグの値を「ＦＡＬＳＥ」に設定する（Ｓｔｅｐ７０５）。他方、スイッチ１３７の入力がチューナ１３６以外である場合、切換フラグの値を「ＴＲＵＥ」に設定する（Ｓｔｅｐ７０６）。
【００９４】
その後、テレビ６０１は、スイッチ１３７の入力をデータ入力Ｉ／Ｆ１３９に切り換える（Ｓｔｅｐ７０７）。このとき、ＤＶＤレコーダ１０１から出力されたＤＶＤ−ＲＡＭディスク１１１の再生映像音声を視聴することができる。
【００９５】
その後、ＤＶＤレコーダ１０１は、ユーザから「再生停止」指示を受け取ると、ＤＶＤ−ＲＡＭディスク１１１の再生を停止し（Ｓｔｅｐ７０８）、スイッチ１０８の入力をチューナ１０３に切り換える（Ｓｔｅｐ７０９）。同時に、ＤＶＤレコーダ１０１は、「ＥＥ画面に戻った」コマンドをテレビ６０１に送信する（Ｓｔｅｐ７１０）。
【００９６】
テレビ６０１は、「ＥＥ画面に戻った」コマンドを受け取ると、切換フラグの値を確認する（Ｓｔｅｐ７１１）。そして、切換フラグの値が「ＦＡＬＳＥ」である場合、スイッチ１３７の入力をチューナ１３６に切り換える（Ｓｔｅｐ７１２）。このとき、再度チューナ１３６で受信したテレビ放送を視聴することができる。他方、切換フラグの値が「ＴＲＵＥ」である場合、スイッチ１３７の入力は切り換えない。
【００９７】
また、テレビ６０１は、手動入力切換が行われたかどうかを常に確認している（Ｓｔｅｐ７１３）。そして、手動入力切換が行われた場合、切換フラグの値を「ＴＲＵＥ」に設定する（Ｓｔｅｐ７１４）。
【００９８】
以下、テレビ６０１の入力がチューナ１３６になっている状態で、チューナ１３６で受信したテレビ放送を表示するテレビ６０１の画面遷移について説明する。
【００９９】
図１０は、テレビ６０１に表示される画面の遷移を示す図である。ここでは、ＤＶＤ−ＲＡＭディスク１１１の再生開始から再生停止までの間に手動でテレビ６０１の入力切換を行わなかった場合を想定している。
【０１００】
すなわち、チューナ１３６で受信したテレビ放送を視聴している時にＤＶＤレコーダ１０１の再生を開始すると、自動的にテレビ６０１の入力がＤＶＤレコーダ１０１に切り換わり、ＤＶＤ−ＲＡＭディスク１１１の再生映像が表示される（Ｓｔｅｐ７０７）。このとき、切換フラグの値は「ＦＡＬＳＥ」に設定される。また、ＤＶＤレコーダ１０１の再生を停止すると、切換フラグの値は「ＦＡＬＳＥ」であるので、自動的にテレビ６０１の入力がチューナ１３６に切り換わり、チューナ１３６で受信したテレビ放送が表示される（Ｓｔｅｐ７１２）。
【０１０１】
図１１は、テレビ６０１に表示される画面の遷移を示す図である。ここでは、ＤＶＤ−ＲＡＭディスク１１１の再生開始から再生停止までの間に手動でテレビ６０１の入力切換を行った場合を想定している。
【０１０２】
すなわち、チューナ１３６で受信したテレビ放送を視聴している時にＤＶＤレコーダ１０１の再生を開始すると、図１０と同様、自動的にテレビ６０１の入力がＤＶＤレコーダ１０１に切り換わり、ＤＶＤ−ＲＡＭディスク１１１の再生映像が表示される。このとき、切換フラグの値は「ＦＡＬＳＥ」に設定される。
【０１０３】
ＤＶＤ−ＲＡＭディスク１１１の再生中に、テレビ６０１の入力をデータ入力Ｉ／Ｆ１４１に手動で切り換えると、家庭用ゲーム機１５１の画面が表示され、切換フラグの値が「ＴＲＵＥ」に設定される。その後、ＤＶＤレコーダ１０１の再生を停止しても、切換フラグの値は「ＴＲＵＥ」であるので、テレビ６０１の入力は切り換わらず、家庭用ゲーム機１５１の画面がそのまま表示され続ける。
【０１０４】
次に、テレビ６０１の入力がデータ入力Ｉ／Ｆ１３９になっている状態で、ＤＶＤレコーダ１０１からの出力映像を表示するテレビ６０１の画面遷移について説明する。
【０１０５】
図１２は、テレビ６０１に表示される画面の遷移を示す図である。ここでは、ＤＶＤ−ＲＡＭディスク１１１の再生開始から再生停止までの間に手動でテレビ６０１の入力切換を行わなかった場合を想定している。
【０１０６】
すなわち、ＤＶＤレコーダ１０１からの出力映像を表示している時にＤＶＤレコーダ１０１の再生を開始すると、テレビ６０１の入力はＤＶＤレコーダ１０１であるので、そのままＤＶＤ−ＲＡＭディスク１１１の再生映像が表示される（Ｓｔｅｐ７０７）。このとき、スイッチ１３７の入力はチューナ１３６ではないので、切換フラグの値は「ＴＲＵＥ」に設定される。
【０１０７】
また、ＤＶＤレコーダ１０１の再生を停止すると、切換フラグの値は「ＴＲＵＥ」であるので、テレビ６０１の入力は切り換わらず、ＤＶＤレコーダ１０１からの出力映像（ＤＶＤレコーダ１０１のＥＥ画面）が表示される。
【０１０８】
また、ＤＶＤ−ＲＡＭディスク１１１の再生開始から再生停止までの間に手動でテレビ６０１の入力切換を行った場合、テレビ６０１に表示される画面遷移は、初期状態がテレビ放送視聴中であるときと同様である。すなわち、テレビ６０１の入力は切り換わらない。
【０１０９】
以上のように、本実施の形態２によれば、ＤＶＤレコーダ１０１の出力がＥＥ画面に戻った時、ＤＶＤレコーダ１０１の再生開始時のテレビ６０１の入力がチューナ１３６で受信したテレビ放送であり、かつ途中で手動入力切換を行わなかった場合のみ、自動的にテレビ６０１の入力をチューナ１３６で受信したテレビ放送に切り換えることができる。
【０１１０】
これにより、実施の形態１の効果に加えて、例えばテレビ６０１の入力をＤＶＤレコーダ１０１に切り換えたうえでＤＶＤレコーダ１０１の再生を開始したりメニュー画面を表示させたりした場合は、ＤＶＤレコーダ１０１の出力がＥＥ画面に戻った時、自動的にテレビ６０１の入力がチューナ１３６で受信したＴＶ放送に切り換わらないようにすることが可能となる。
【０１１１】
なお、切換フラグの値は「ＴＲＵＥ」と「ＦＡＬＳＥ」であると説明したが、これら以外の値を用いてもよい。要するに、「ＥＥ画面に戻った」コマンド受信時に、テレビ６０１の入力を自動的に切り換える必要があるかどうかを判定できる情報であればよい。
【０１１２】
また、図９のフロー図におけるＳｔｅｐ７０１、Ｓｔｅｐ７０２およびＳｔｅｐ７０３の順序は入れ替わっていてもよいし、同時でもよい。同様に、Ｓｔｅｐ７０８、Ｓｔｅｐ７０９およびＳｔｅｐ７１０の順序は入れ替わっていてもよいし、同時でもよい。
【０１１３】
また、ＤＶＤレコーダ１０１においてＤＶＤ−ＲＡＭディスク１１１を再生する場合の動作を例示したが、ＤＶＤレコーダ１０１のメニュー画面を表示する場合も、上記と同様の動作で自動的にテレビ６０１の入力が切り換わる。この画面遷移は、実施の形態１で説明した図６と同じ画面遷移であるため、ここでは説明を省略する。
【０１１４】
（実施の形態３）
本発明の実施の形態３におけるテレビは、ＤＶＤレコーダ１０１から「出力開始」コマンドを受け取った時の入力（以下「元入力」という）を保管する。そして、「ＥＥ画面に戻った」コマンドを受け取った時、途中に手動で入力切換を行わなかった場合のみ、入力を元入力に自動的に切り換える。以下、本実施の形態３を前記実施の形態１と異なる点を中心に説明する。
【０１１５】
図１３は、テレビ９０１とＤＶＤレコーダ１０１の構成例を示す図である。実施の形態１と異なる点は、テレビ９０１の制御部９１１の機能と、テレビ９０１が元画面情報保管部９１２を備えている点である。その他の構成部は、実施の形態１と同様であるため、同じ符号を用いて説明する。
【０１１６】
ＤＶＤレコーダ１０１の動作は、実施の形態１と同様であるため説明を省略する。
【０１１７】
（１）テレビ９０１の動作
以下、テレビ９０１の手動入力切換動作とコマンド受信時の動作について説明する。これらの動作は、実施の形態１におけるテレビ１３１の動作と異なる。
【０１１８】
図１４は、元画面情報の一例を示す図である。すなわち、元画面情報保管部９１２には、ＤＶＤレコーダ１０１から「出力開始」コマンドを受信した時の表示画面を示す値が保管される。ユーザが手動で入力切換をした場合、元画面情報保管部９１２に保管されている元画面情報はリセットされる。ここでは、リセットされた元画面情報を「なし」で表現している。
【０１１９】
［手動入力切換動作］
制御部９１１は、ユーザ入力部１３８から入力切換指示を受け取ると、入力を切り換えるようにスイッチ１３７に指示する。スイッチ１３７は、チューナ１３６からの入力を出力処理部１３５に出力しているとき、データ入力Ｉ／Ｆ１３９への入力に切り換える指示を制御部９１１から受け取ると、データ入力Ｉ／Ｆ１３９から受け取った映像音声データを出力処理部１３５に出力する。このとき、制御部９１１は、元画面情報保管部９１２に保管している元画面情報をリセットする。
【０１２０】
［コマンド受信時の動作］
コマンド入力Ｉ／Ｆ１４０は、コマンド用ケーブル１２３を通してＤＶＤレコーダ１０１からコマンドを受け取ると、そのコマンドを制御部９１１に出力する。制御部９１１は、コマンド入力Ｉ／Ｆ１４０から受け取ったコマンドが「出力開始」コマンドである場合、データ入力Ｉ／Ｆ１３９からの入力に切り換えるようにスイッチ１３７に指示する。このとき、制御部９１１は、スイッチ１３７の元入力を表す情報を元画面情報として元画面情報保管部９１２に保管する。例えば、スイッチ１３７の元入力がチューナ１３６である場合は「ＴＶ放送」を、スイッチ１３７の元入力がデータ入力Ｉ／Ｆ１４１である場合は「ゲーム」を元画面情報として保管する。
【０１２１】
また、制御部９１１は、コマンド入力Ｉ／Ｆ１４０から受け取ったコマンドが「ＥＥ画面に戻った」コマンドである場合、元画面情報保管部９１２に保管している元画面情報を参照し、元画面情報が示す入力に切り換えるようにスイッチ１３７に指示する。元画面情報の値が「なし」であれば、スイッチ１３７に入力切換は指示しない。
【０１２２】
（２）ＤＶＤレコーダ１０１とテレビ９０１の動作
図１５は、ＤＶＤレコーダ１０１およびテレビ９０１のフロー図である。以下、ＤＶＤレコーダ１０１の再生開始／停止時におけるＤＶＤレコーダ１０１とテレビ９０１の動作について説明する。
【０１２３】
ＤＶＤレコーダ１０１は、ユーザから「再生開始」指示を受け取ると、ＤＶＤ−ＲＡＭディスク１１１の再生を開始し（Ｓｔｅｐ１００１）、スイッチ１０８の入力をデコーダ１０６に切り換える（Ｓｔｅｐ１００２）。同時に、ＤＶＤレコーダ１０１は、「出力開始」コマンドをテレビ９０１に送信する（Ｓｔｅｐ１００３）。
【０１２４】
テレビ９０１は、「ＥＥ画面に戻った」コマンドを受け取ると、元画面情報を確認する（Ｓｔｅｐ１０１１）。そして、元画面情報が「なし」以外である場合、元画面情報が示す画面にスイッチ１３７の入力を切り換える（Ｓｔｅｐ１０１２）。例えば、ＤＶＤレコーダ１０１の再生開始前のスイッチ１３７の入力がチューナ１３６である場合、元画面情報は「ＴＶ放送」であるので、スイッチ１３７の入力をチューナ１３６に切り換える。このとき、再度チューナ１３６で受信したテレビ放送を視聴することができる。
【０１２５】
他方、元画面情報が「なし」である場合、スイッチ１３７の入力は切り換えない。また、元画面情報が「ＤＶＲ１」や「ゲーム」である場合、元画面情報が示す外部機器からの出力をそのまま表示する。
【０１２６】
また、テレビ９０１は、手動入力切換が行われたかどうかを常に確認している（Ｓｔｅｐ１００６）。そして、手動入力切換が行われた場合、元画面情報の値を「なし」にリセットする（Ｓｔｅｐ１００７）。
【０１２７】
以下、テレビ９０１の入力がチューナ１３６になっている状態で、チューナ１３６で受信したテレビ放送を表示するテレビ９０１の画面遷移を説明する。
【０１２８】
図１６は、テレビ９０１に表示される画面の遷移を示す図である。ここでは、ＤＶＤ−ＲＡＭディスク１１１の再生開始から再生停止までの間に手動でテレビ９０１の入力切換を行わなかった場合を想定している。
【０１２９】
すなわち、チューナ１３６で受信したテレビ放送を視聴している時にＤＶＤレコーダ１０１の再生を開始すると、自動的にテレビ９０１の入力がＤＶＤレコーダ１０１に切り換わり、ＤＶＤ−ＲＡＭディスク１１１の再生映像が表示される（Ｓｔｅｐ１００４）。このとき、元画面情報は「ＴＶ放送」に設定される（Ｓｔｅｐ１００５）。また、ＤＶＤレコーダ１０１の再生を停止すると、元画面情報の値は「ＴＶ放送」であるので、自動的にテレビ９０１の入力がチューナ１３６に切り換わり、チューナ１３６で受信したテレビ放送が表示される（Ｓｔｅｐ１０１２）。
【０１３０】
図１７は、テレビ９０１に表示される画面の遷移を示す図である。ここでは、ＤＶＤ−ＲＡＭディスク１１１の再生開始から再生停止までの間に手動でテレビ９０１の入力切換を行った場合を想定している。
【０１３１】
すなわち、チューナ１３６で受信したテレビ放送を視聴している時にＤＶＤレコーダ１０１の再生を開始すると、図１６と同様、自動的にテレビ９０１の入力がＤＶＤレコーダ１０１に切り換わり、ＤＶＤ−ＲＡＭディスク１１１の再生映像が表示される（Ｓｔｅｐ１００４）。このとき、元画面情報は「ＴＶ放送」に設定される（Ｓｔｅｐ１００５）。
【０１３２】
ＤＶＤ−ＲＡＭディスク１１１の再生中に、テレビ９０１の入力をデータ入力Ｉ／Ｆ１４１に手動で切り換えると、家庭用ゲーム機１５１の画面が表示され、元画面情報は「なし」にリセットされる（Ｓｔｅｐ１００７）。その後、ＤＶＤレコーダ１０１の再生を停止しても、元画面情報の値は「なし」であるので、テレビ９０１の入力は切り換わらず、家庭用ゲーム機１５１の画面がそのまま表示され続ける。
【０１３３】
次に、テレビ６０１の入力がデータ入力Ｉ／Ｆ１４１になっている状態で、家庭用ゲーム機１５１からの出力映像を表示するテレビ９０１の画面遷移について説明する。
【０１３４】
図１８は、テレビ９０１に表示される画面の遷移を示す図である。ここでは、ＤＶＤ−ＲＡＭディスク１１１の再生開始から再生停止までの間に手動でテレビ６０１の入力切換を行わなかった場合を想定している。
【０１３５】
すなわち、家庭用ゲーム機１５１からの出力映像を表示している時にＤＶＤレコーダ１０１の再生を開始すると、図１６と同様、自動的にテレビ９０１の入力がＤＶＤレコーダ１０１に切り換わり、ＤＶＤ−ＲＡＭディスク１１１の再生映像が表示される（Ｓｔｅｐ１００４）。このとき、元画面情報は「ゲーム」に設定される（Ｓｔｅｐ１００５）。
【０１３６】
また、ＤＶＤレコーダ１０１の再生を停止すると、元画面情報の値は「ゲーム」であるので、自動的にテレビ９０１の入力が家庭用ゲーム機１５１に切り換わり、再度家庭用ゲーム機１５１からの出力映像が表示される（Ｓｔｅｐ１０１２）。
【０１３７】
また、ＤＶＤ−ＲＡＭディスク１１１の再生開始から再生停止までの間に手動でテレビ９０１の入力切換を行った場合、テレビ９０１に表示される画面遷移は、初期状態がテレビ放送視聴中であるときと同様である。すなわち、テレビ９０１の入力は切り換わらない。
【０１３８】
以上のように、本実施の形態３によれば、ＤＶＤレコーダ１０１の出力がＥＥ画面に戻った時、途中で手動入力切換を行わなかった場合のみ、ＤＶＤレコーダ１０１の再生開始時の表示画面にテレビ９０１の入力を自動的に切り換えることができる。
【０１３９】
これにより、実施の形態１の効果に加えて、ＤＶＤレコーダ１０１の再生を開始した場合やメニュー画面を表示させた場合でも、ＤＶＤレコーダ１０１の出力がＥＥ画面に戻った時、自動的にテレビ９０１の入力が再生開始もしくはメニュー表示開始前の画面に戻るようにすることが可能となる。
【０１４０】
なお、元画面情報の取りうる値は、図１４に示す通りでなくてもよい。例えば、テレビ９０１の外部入力の数に応じて、その種類を増減させてもよい。要するに、「ＥＥ画面に戻った」コマンド受信時に、テレビ９０１の入力をどの画面に自動的に切り換えればよいかが分かる情報であればよい。
【０１４１】
また、図１５のフロー図におけるＳｔｅｐ１００１、Ｓｔｅｐ１００２およびＳｔｅｐ１００３の順序は入れ替わっていてもよいし、同時でもよい。同様に、Ｓｔｅｐ１００８、Ｓｔｅｐ１００９およびＳｔｅｐ１０１０の順序は入れ替わっていてもよいし、同時でもよい。
【０１４２】
また、ＤＶＤレコーダ１０１においてＤＶＤ−ＲＡＭディスク１１１を再生する場合の動作を例示したが、ＤＶＤレコーダ１０１のメニュー画面を表示する場合も、上記と同様の動作で自動的にテレビ９０１の入力が切り換わる。この画面遷移は、実施の形態１で説明した図６と同じ画面遷移であるため、ここでは説明を省略する。
【０１４３】
（実施の形態４）
本発明の実施の形態４におけるテレビは、さらに細かい元画面情報を保管しておくことにより、入力を元入力に自動的に切り換えると同時に、例えば指定のメニュー画面を自動的に表示することができる。以下、本実施の形態４を前記実施の形態３と異なる点を中心に説明する。なお、本実施の形態４におけるテレビとＤＶＤレコーダの構成は、前記実施の形態３（図１３参照）と同様であるため、ここでは説明を省略する。
【０１４４】
（１）テレビ９０１の動作
以下、テレビ９０１のコマンド受信時の動作について説明する。この動作は、実施の形態３におけるテレビ９０１の動作と異なる。
【０１４５】
図１９は、元画面情報の一例を示す図である。すなわち、元画面情報保管部９１２には、ＤＶＤレコーダ１０１から「出力開始」コマンドを受信した時の表示画面を示す値が保管される。実施の形態３と異なる点は、スイッチ１３７の入力だけでなく、スイッチ１３７の入力がチューナ１３６である場合にはテレビ９０１が表示している画面の種類も同時に保管しておく点である。例えば、外部機器を選択するメニュー画面を表示している場合は、元画面情報として「ＴＶ：視聴機器選択画面」を保管しておく。実施の形態３と同様、ユーザが手動で入力切換をした場合、元画面情報保管部９１２に保管されている元画面情報はリセットされる。ここでも、リセットされた元画面情報を「なし」で表現している。
【０１４６】
［コマンド受信時の動作］
コマンド入力Ｉ／Ｆ１４０は、コマンド用ケーブル１２３を通してＤＶＤレコーダ１０１からコマンドを受け取ると、そのコマンドを制御部９１１に出力する。制御部９１１は、コマンド入力Ｉ／Ｆ１４０から受け取ったコマンドが「出力開始」コマンドである場合、データ入力Ｉ／Ｆ１３９からの入力に切り換えるようにスイッチ１３７に指示する。このとき、制御部９１１は、スイッチ１３７の元入力を表す情報を元画面情報として元画面情報保管部９１２に保管する。さらに、スイッチ１３７の元入力がチューナ１３６である場合にはテレビ９０１が表示している画面の種類も同時に保管する。例えば、スイッチ１３７の元入力がチューナ１３６である場合において、テレビ放送画面を表示していたときは「ＴＶ：ＴＶ放送」を、テレビ９０１のメニュー画面である視聴機器選択画面を表示していたときは「ＴＶ：視聴機器選択画面」を元画面情報として保管する。
【０１４７】
また、制御部９１１は、コマンド入力Ｉ／Ｆ１４０から受け取ったコマンドが「ＥＥ画面に戻った」コマンドである場合、元画面情報保管部９１２に保管している元画面情報を参照し、元画面情報が示す入力に切り換えるようにスイッチ１３７に指示する。また、元画面情報に画面の種類を示す情報が含まれている場合、元画面情報が示すメニュー画面を表示するように出力処理部１３５に指示する。元画面情報の値が「なし」であれば、スイッチ１３７に入力切換は指示しない。
【０１４８】
（２）ＤＶＤレコーダ１０１とテレビ９０１の動作
図２０は、本実施の形態４におけるテレビ９０１のフロー図である。ここでは、図１５に示すフロー図のＳｔｅｐ１０１１以降に相当する動作だけを表している。すなわち、図１５に示すフロー図のＳｔｅｐ１０１０までについては実施の形態３と同様であるため、ここでは図示を省略している。
【０１４９】
テレビ９０１は、「ＥＥ画面に戻った」コマンドを受け取ると、元画面情報を確認する（Ｓｔｅｐ１５０１）。そして、元画面情報が「なし」以外である場合、元画面情報が示す画面にスイッチ１３７の入力を切り換える（Ｓｔｅｐ１５０２）。例えば、ＤＶＤレコーダ１０１の再生開始前のスイッチ１３７の入力がチューナ１３６である場合、元画面情報は「ＴＶ：ＸＸＸ」（ＸＸＸはテレビ９０１が表示していた画面を示す内容）であるので、スイッチ１３７の入力をチューナ１３６に切り換える。
【０１５０】
また、テレビ９０１は、元画面情報が「ＴＶ：ＸＸＸ」であるかどうかを確認する（Ｓｔｅｐ１５０３）。そして、元画面情報が「ＴＶ：ＸＸＸ」である場合、元画面情報が示す画面を表示する。例えば、元画面情報が「ＴＶ：ＴＶ放送」である場合、チューナ１３６で受信したテレビ放送を表示し、元画面情報が「ＴＶ：視聴機器選択画面」である場合、外部機器を選択するメニュー画面を表示する。
【０１５１】
他方、元画面情報が「なし」である場合、スイッチ１３７の入力は切り換えない。また、元画面情報が「ＤＶＲ１」や「ゲーム」である場合、元画面情報が示す外部機器からの出力をそのまま表示する。
【０１５２】
以下、テレビ９０１の入力がチューナ１３６になっている状態で、外部機器を選択するメニュー画面を表示するテレビ９０１の画面遷移を説明する。
【０１５３】
図２１は、テレビ９０１に表示される画面の遷移を示す図である。ここでは、ＤＶＤ−ＲＡＭディスク１１１の再生開始から再生停止までの間に手動でテレビ９０１の入力切換を行わなかった場合を想定している。
【０１５４】
すなわち、外部機器を選択するメニュー画面からＤＶＤレコーダ１０１を選択することによってＤＶＤレコーダ１０１の再生を開始すると、自動的にテレビ９０１の入力がＤＶＤレコーダ１０１に切り換わり、ＤＶＤ−ＲＡＭディスク１１１の再生映像が表示される。このとき、元画面情報は「ＴＶ：視聴機器選択画面」に設定される。また、ＤＶＤレコーダ１０１の再生を停止すると、元画面情報の値は「ＴＶ：視聴機器選択画面」であるので、自動的にテレビ９０１の入力がチューナ１３６に切り換わる（Ｓｔｅｐ１５０２）。さらに、元画面情報の値は「ＴＶ：ＸＸＸ」であるので、「ＴＶ：視聴機器選択画面」が示すメニュー画面として、外部機器を選択するメニュー画面が自動的にテレビ９０１に表示される（Ｓｔｅｐ１５０４）。
【０１５５】
また、ＤＶＤ−ＲＡＭディスク１１１の再生開始から再生停止までの間に手動でテレビ９０１の入力切換を行った場合、テレビ９０１に表示される画面遷移は、実施の形態３と同様、テレビ９０１の入力は切り換わらない。
【０１５６】
以上のように、本実施の形態４によれば、ＤＶＤレコーダ１０１の出力がＥＥ画面に戻った時、途中で手動入力切換を行わなかった場合のみ、ＤＶＤレコーダ１０１の再生開始時の表示画面にテレビ９０１の入力を自動的に切り換えることができ、かつテレビ９０１で以前に表示していたメニュー画面を自動的に表示させることができる。
【０１５７】
これにより、実施の形態３の効果に加えて、ＤＶＤレコーダ１０１の再生開始時やメニュー画面表示開始時のテレビ９０１の表示画面がテレビ９０１のメニュー画面であったとしても、ＤＶＤレコーダ１０１の再生停止時やメニュー画面表示終了時、元の画面に戻るようにすることが可能となる。
【０１５８】
なお、元画面情報の取りうる値は、図１９に示す通りでなくてもよい。例えば、テレビ９０１の外部入力の数に応じて、その種類を増減させてもよい。要するに、「ＥＥ画面に戻った」コマンド受信時に、テレビ９０１の入力をどの画面に自動的に切り換えればよいのか、さらにテレビ放送表示に戻すのか、いずれかのメニュー画面を表示するのかが分かる情報であればよい。
【０１５９】
なお、本発明は、前記した出力制御装置や再生装置として実現することができるだけでなく、このような出力制御装置や再生装置が備える特徴的な手段をステップとする出力制御方法や再生方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【０１６０】
なお、実施の形態でいう出力処理部１３５は、本発明における出力制御手段の一例である。また、実施の形態でいう制御部１３４・６１１・９１１は、本発明における切換制御手段の一例である。また、実施の形態でいうデコーダ１０６は、本発明における再生手段の一例である。また、実施の形態でいうエンコーダ１０５は、本発明における変換手段の一例である。また、実施の形態でいうディスク管理部１０４は、本発明における記録手段の一例である。また、実施の形態でいうメニュー画面は、本発明におけるユーティリティ画面の一例である。
【産業上の利用可能性】
【０１６１】
本発明に係る出力制御装置は、状況に応じて適切に画面を切り換えることが必要なテレビ、ＶＴＲ、ＤＶＲ等の用途にも適用できる。
【符号の説明】
【０１６２】
１０１  ＤＶＤレコーダ
１０２  制御部
１０３  チューナ
１０４  ディスク管理部
１０５  エンコーダ
１０６  デコーダ
１０７  ユーザ入力部
１０８  スイッチ
１０９  データ出力Ｉ／Ｆ
１１０  コマンド出力Ｉ／Ｆ
１１１  ＤＶＤ−ＲＡＭディスク
１１２  出力処理部
１２１  アンテナ
１２２  データ用ケーブル
１２３  コマンド用ケーブル
１３１  テレビ
１３２  画面
１３３  スピーカ
１３４  制御部
１３５  出力処理部
１３６  チューナ
１３７  スイッチ
１３８  ユーザ入力部
１３９  データ入力Ｉ／Ｆ
１４０  コマンド入力Ｉ／Ｆ
１４１  データ入力Ｉ／Ｆ
１５１  家庭用ゲーム機
６０１  テレビ
６１１  制御部
６１２  フラグ保管部
９０１  テレビ
９１１  制御部
９１２  元画面情報保管部
【図１】
0005430596.tif 000002
【図２】
0005430596.tif 000003
【図３】
0005430596.tif 000004
【図４】
0005430596.tif 000005
【図５】
0005430596.tif 000006
【図６】
0005430596.tif 000007
【図７】
0005430596.tif 000008
【図８】
0005430596.tif 000009
【図９】
0005430596.tif 000010
【図１０】
0005430596.tif 000011
【図１１】
0005430596.tif 000012
【図１２】
0005430596.tif 000013
【図１３】
0005430596.tif 000014
【図１４】
0005430596.tif 000015
【図１５】
0005430596.tif 000016
【図１６】
0005430596.tif 000017
【図１７】
0005430596.tif 000018
【図１８】
0005430596.tif 000019
【図１９】
0005430596.tif 000020
【図２０】
0005430596.tif 000021
【図２１】
0005430596.tif 000022